(57)【要約】【課題】キャップの位置調整を精度よく行わずに注出状態の切り替えが可能なキャップを提供する。【解決手段】容器本体１の口筒部２に被着される被着筒部２１、軸線方向に延びて形成された内筒部２３、その内周端に連設されて軸線に直交して延びる天板部２４及び天板部２４を貫通する注出孔２４Ａを備えた内部キャップ体２０と、内筒部２３に対して液密に形成されて軸線方向に移動可能な外筒部３３、その内周端に連設されて軸線に直交して延びる天面部３４及びこれを貫通する複数の吐出孔３４Ａ，３４Ｂ，３４Ｄを備えた外部キャップ体３０と、複数の吐出孔３４Ａ，３４Ｂ，３４Ｄを閉止する蓋体４０とを有し、天面部３４を天板部２４に重ねると一の吐出孔３４Ａを除く他の吐出孔３４Ｂ，３４Ｄが天板部２４で閉塞され、天面部３４が天板部２４から離間すると複数の吐出孔３４Ａ，３４Ｂ，３４Ｄが注出孔２４Ａを介して容器本体１内部に連通される構成とする。【選択図】図４
2008162596.tif 000002
【特許請求の範囲】
【請求項１】
容器本体の口筒部に取り付けられ、前記容器本体の内部に収容された内容物を注出する注出孔を備えたキャップであって、
前記口筒部に被着される被着筒部と、軸線に沿って延びて形成された内筒部と、該内筒部の内周端に連設されて前記軸線に交差する方向に延びる天板部と、前記軸線方向に延びて前記天板部を貫通する前記注出孔と、を備えた内部キャップ体と、
前記内筒部に対して液密に形成されると共に前記軸線方向に移動可能とされた外筒部と、該外筒部の内周端に連設されて前記軸線に交差する方向に延びると共に前記天板部に重ねて配置可能な天面部と、前記軸線方向に延びて前記天面部を貫通する複数の吐出孔と、を備えた外部キャップ体と、
前記注出孔及び前記複数の吐出孔を閉止する蓋体と、を有し、
前記天面部が前記天板部に重ねて配された状態で、一の吐出孔が前記注出孔を介して前記容器本体の内部に連通されると共に他の吐出孔が前記天板部によって閉塞され、
前記天面部が前記天板部から離間して配された状態で、前記複数の吐出孔が前記注出孔を介して前記容器本体の内部に連通されることを特徴とするキャップ。
【請求項２】
前記外部キャップ体が前記内部キャップ体に対して前記軸線方向に摺動可能とされていることを特徴とする請求項１に記載のキャップ。
【請求項３】
前記内部キャップ体及び前記外部キャップ体が相互に螺合するように構成され、
前記外部キャップ体を回動させることで前記内部キャップ体と前記外部キャップ体との軸線方向における相対位置が変化することを特徴とする請求項１に記載のキャップ。
【請求項４】
前記蓋体は、ヒンジ部を介して前記外部キャップ体に連結されていることを特徴とする請求項１から請求項３のいずれか１項に記載のキャップ。
【発明の詳細な説明】
【技術分野】
【０００１】
本発明は、容器本体の口筒部に被着されるキャップであって、特に、スクイズ変形可能な容器本体に被着されて、容器本体内に収容されている内容物を注出する注出孔を備えたキャップに関するものである。
【背景技術】
【０００２】
従来のスクイズ容器は、容器本体をスクイズ変形させて内容物を加圧注出するものであり、このスクイズ容器に被着されるキャップは、いわゆる注出栓形としている。例えば、キャップ頂部中央部から棒栓を起立してその基部周りに透孔をあけるとともに、キャップ頂部上面に、前記棒栓で開閉される注出孔を持つ注出孔部材を昇降可能に設け、この注出孔部材を押し上げたとき注出孔を閉栓し、引き上げたとき開栓して注出可能とする構造である。
このような構造のキャップでは、内容物を注出孔から水柱状に注出させることになる。ところで、内容物が洗剤液等である場合に、スポンジ等に注ぐ際には水柱状に注出してもよいが、浴槽等のように大きな対象物に注ぐ際にはシャワー状に散らして広い面積に注出できるようにすることが望ましい。
【０００３】
そこで、例えば特許文献１には、キャップを昇降させて昇降方向の所定位置となるように位置調整することで、内容物の注出状態を水柱状やシャワー状に切り替えたり、注出孔を閉止したりすることが可能なキャップが提案されている。
【特許文献１】実開昭６４−２０４６５号公報
【発明の開示】
【発明が解決しようとする課題】
【０００４】
ところで、特許文献１に記載されたキャップにおいては、内容物の注出状態を切り替えたり、注出孔を閉止したりする際には、キャップを昇降方向の所定位置となるように移動させて位置調整を精度よく行う必要があり、注出状態の切り替え操作が煩雑であった。特に、キャップの外径が小さい場合や、ゴム手袋等を装着した状態で操作する場合には、キャップを所定位置となるように昇降させることが困難であった。
また、注出孔を閉止するためにはキャップを昇降させる必要があるので、再度シャワー状に注出したり、水柱状に注出したり際には、その都度キャップの位置調整を行う必要があった。
【０００５】
本発明は、前述の事情に鑑みてなされたものであって、キャップの位置調整を精度よく行うことなく注出状態の切り替えることが可能であり、取扱いが容易なキャップを提供することを目的とする。
【課題を解決するための手段】
【０００６】
この課題を解決するために、本発明のキャップは、容器本体の口筒部に取り付けられ、前記容器本体の内部に収容された内容物を注出する注出孔を備えたキャップであって、前記口筒部に被着される被着筒部と、軸線に沿って延びて形成された内筒部と、該内筒部の内周端に連設されて前記軸線に交差する方向に延びる天板部と、前記軸線方向に延びて前記天板部を貫通する前記注出孔と、を備えた内部キャップ体と、前記内筒部に対して液密に形成されると共に前記軸線方向に移動可能とされた外筒部と、該外筒部の内周端に連設されて前記軸線に交差する方向に延びると共に前記天板部に重ねて配置可能な天面部と、前記軸線方向に延びて前記天面部を貫通する複数の吐出孔と、を備えた外部キャップ体と、前記注出孔及び前記複数の吐出孔を閉止する蓋体と、を有し、前記天面部が前記天板部に重ねて配された状態で、一の吐出孔が前記注出孔を介して前記容器本体の内部に連通されると共に他の吐出孔が前記天板部によって閉塞され、前記天面部が前記天板部から離間して配された状態で、前記複数の吐出孔が前記注出孔を介して前記容器本体の内部に連通されることを特徴としている。
【０００７】
この構成のキャップによれば、内部キャップ体と外部キャップ体との軸線方向の相対位置を変更するだけで、外部キャップ体の天面部が内部キャップ体の天板部に重ねて配された状態と、天面部が天板部から離間して配された状態とに切り替えることができる。
そして、天面部を天板部に重ねて配置した状態では、他の吐出孔が天板部によって閉塞されて一の吐出孔のみが容器本体の内部に連通するため、内容物は注出孔及び一の吐出孔を介して外方に注出される。すなわち、内容物が水柱状に注出されることになる。一方、天面部を天板部から離間して配置した状態では、複数の吐出孔が容器本体の内部に連通するため、内容物は注出孔及び複数の吐出孔を介して外方に注出されることになる。すなわち、内容物がシャワー状に注出されることになる。
以上のように、天板部に対する天面部の位置を切り替えるだけで、内容物の注出状態を切り替えることができる。よって、外部キャップ体を軸線方向に移動させる際に精度良く位置調整する必要がなく、簡易な操作で注出状態の切り替えを行うことができる。
【０００８】
また、注出孔及び吐出孔を閉止する蓋体を有しているので、天面部を天板部に重ねて配置した状態、あるいは、天面部を天板部から離間して配置した状態のままで注出孔及び吐出孔を閉止しておくことが可能となり、注出を再開する際に外部キャップ体を操作することなく注出することができる。
【０００９】
ここで、前記外部キャップ体は前記内部キャップ体に対して前記軸線方向に摺動可能としてもよい。
この場合には、外部キャップ体を内部キャップ体に対して軸線方向に摺動させるだけで注出状態を切り替えることができるため、この切り替え作業を素早く行うことができる。
【００１０】
また、前記内部キャップ体及び前記外部キャップ体が相互に螺合するように構成され、前記外部キャップ体を回動させることで前記内部キャップ体と前記外部キャップ体との軸線方向における相対位置が変化するとしてもよい。
この場合には、外部キャップ体が不意に軸線方向に移動することを防いで、注出状態が不意に切り替えられることを容易に防止できる。
【００１１】
さらに、前記蓋体は、ヒンジ部を介して前記外部キャップ体に連結されるとしてもよい。
この場合、蓋体の操作や取扱いがより簡単になり、注出孔及び吐出孔の開閉作業を簡易に、かつ確実に行うことができる。
【発明の効果】
【００１２】
本発明によれば、キャップの位置調整を精度よく行うことなく注出状態の切り替えることができる。
【発明を実施するための最良の形態】
【００１３】
以下に、本発明の実施形態について添付した図面を参照して説明する。図１から図４に、本発明の第１の実施形態であるキャップ１０を示す。
このキャップ１０は、スクイズ変形可能な容器本体１に設けられた口筒部２に被着されるものである。口筒部２は、容器本体１から軸線Ｌに沿って上方に延びるように突出し、外周面に雄ネジ２Ａが形成されている。
【００１４】
キャップ１０は、内周面に前記口筒部２の雄ネジ２Ａに螺合可能な雌ネジ２１Ａが形成された被着筒部２１及び注出孔２４Ａを備えた内部キャップ体２０と、この内部キャップ体２０の上方に被着されるとともに複数の吐出孔３４Ａ〜３４Ｅを備えた外部キャップ体３０と、これら注出孔２４Ａ及び吐出孔３４Ａ〜３４Ｅを閉止する蓋体４０と、を備えている。
【００１５】
内部キャップ体２０は、前記被着筒部２１の上端に連設され、軸線Ｌに直交するように内周側に向けて延びる環状天板部２２と、この環状天板部２２の内周端から軸線Ｌに沿って上方に向けて延びる内筒部２３と、内筒部２３の内周端に連設されて軸線Ｌに直交するように延びる天板部２４と、を備えている。
内筒部２３は、口筒部２を介して容器本体１の内部に連通されており、環状天板部２２側をなす大径部２３Ａと、この大径部２３Ａよりも小径に形成されて天板部２４側をなす小径部２３Ｂと、から構成されている。
【００１６】
天板部２４には、軸線Ｌ方向に沿って厚さ方向に貫通した前記注出孔２４Ａが形成されている。なお、本実施形態において、注出孔２４Ａは軸線Ｌを中心とした平面視略円形状に形成されている。
また、被着筒部２１の上端には、外径が一段小さくされたガイド筒部２５が設けられており、このガイド筒部２５の上方部分には径方向外側に向けて突出するガイド凸部２５Ａが形成されている。なお、このガイド筒部２５は内筒部２３の大径部２３Ａと略同等の高さ寸法を有しており、前述した小径部２３Ｂはガイド筒部２５よりもさらに上方に突出している。
【００１７】
外部キャップ体３０は、ガイド筒部２５の外周面側に配される周壁部３１と、この周壁部３１の上端に連設されて軸線Ｌに直交するように延びる環状天面部３２と、環状天面部３２の内周端に垂設された第１筒部３３Ａと、同内周端に立設された第２筒部３３Ｂと、第２筒部３３Ｂの内周端に連設されて軸線Ｌに直交するように延びる天面部３４と、を備えている。
第１筒部３３Ａの内径は前記内筒部２３の大径部２３Ａの外径と略同一に形成され、また、第２筒部３３Ｂの内径は小径部２３Ｂの外径と略同一に形成されている。すなわち、これら第１筒部３３Ａ及び第２筒部３３Ｂは、それぞれ大径部２３Ａ及び小径部２３Ｂに対して軸線Ｌ方向に摺動可能となっており、内筒部２３に対して液密に形成されて内筒部２３に対して軸線Ｌ方向に移動可能とされた外筒部３３を構成している。
【００１８】
天面部３４には、軸線Ｌ方向に沿って厚さ方向に貫通した複数の吐出孔３４Ａ〜３４Ｅが形成されている（図２参照）。これら複数の吐出孔３４Ａ〜３４Ｅは、天面部３４の中央に形成された中央吐出孔（一の吐出孔）３４Ａと、その周囲に形成された複数（図示例では４つ）の周囲吐出孔（他の吐出孔）３４Ｂ〜３４Ｅとに分類される。
ここで、中央吐出孔３４Ａは、内部キャップ体２０に形成された注出孔２４Ａと軸線Ｌ方向に重なる位置に形成されている。なお、本実施形態において、中央吐出孔３４Ａは、軸線Ｌを中心とした平面視略円形状に形成されており、その孔径は内部キャップ体２０に形成された注出孔２４Ａの孔径よりも小さく形成されている。
また、複数の周囲吐出孔３４Ｂ〜３４Ｅは、周方向に間隔を開けて設けられており、それぞれ注出孔２４Ａと軸線Ｌ方向に重ならない位置に形成されている。なお、本実施形態において、各周囲吐出孔３４Ｂ〜３４Ｅは、平面視で略矩形状に形成されると共に、下方から上方に向かうにしたがい漸次径方向外側に向けて傾斜するように形成されている。
【００１９】
また、前述した周壁部３１の内径は、ガイド筒部２５のうちガイド凸部２５Ａを形成した部分の外径と略同一に設定されており、この周壁部３１の内周面の下端には、径方向内側に向けて突出するガイド突起部３１Ａが形成されている。このガイド突起部３１Ａを形成した部分の内径は、ガイド凸部２５Ａが設けられていないガイド筒部２５の下方部分の外径と略同一に形成されている。なお、この周壁部３１の周方向の一部には径方向内側に凹んだ切欠凹部３１Ｂが形成され、さらに、この切欠凹部３１Ｂに対向する位置には環状天面部３２から上方に立設する突出部３６が形成されている。
さらに、この外部キャップ体３０には、環状天面部３２のうち周壁部３１と第１筒部３３Ａとの間に垂設された嵌入筒部３５が形成されており、この嵌入筒部３５の外径は前記内部キャップ体２０のガイド筒部２５の内径と略同一に設定されている。これにより、嵌入筒部３５は、前記ガイド筒部２５に嵌入されるように構成され、ガイド筒部２５に対して軸線Ｌ方向に摺動可能となる。
【００２０】
そして、以上のように外部キャップ体３０を構成することで、図３及び図４に示すように、天面部３４が天板部２４に重ねて配された状態（図３）と天板部２４から離間して配された状態（図４）との間で、外部キャップ体３０が内部キャップ体２０に対して軸線Ｌ方向に摺動可能とされることになる。なお、天面部３４が天板部２４から離間して配された状態においては、外部キャップ体３０のガイド突起部３１Ａが内部キャップ体２０のガイド凸部２５Ａに係止され、外部キャップ体３０が内部キャップ体２０から完全に抜けてしまうことを防止している。
【００２１】
また、天面部３４が天板部２４に重ねて配された状態では、外部キャップ体３０の中央吐出孔３４Ａが注出孔２４Ａを介して容器本体１の内部に連通すると共に周囲吐出孔３４Ｂ〜３４Ｅが天板部２４によって閉塞されることになる。そして、天面部３４が天板部２４から離間して配された状態においては、天板部２４と天面部３４との間に空間Ｓ１が形成されて中央吐出孔３４Ａ及び周囲吐出孔３４Ｂ〜３４Ｅが注出孔２４Ａを介して容器本体１の内部に連通することになる。なお、前記空間Ｓ１は、天板部２４、天面部３４及び第２筒部３３Ｂによって画成されるものである。
【００２２】
蓋体４０は、平板部４１と、平板部４１の外周端部に垂設された側壁部４２とを備えており、平板部４２には下方に向けて突出するシール筒部４３が設けられている。このシール筒部４３の内径は外部キャップ体３０の第２筒部３３Ｂの外径と略同一に設定されており、第２筒部３３Ｂを嵌入可能としている。すなわち、第２筒部３３Ｂをシール筒部４３に嵌入することで内部キャップ体２０の注出孔２４Ａ及び複数の吐出孔３４Ａ〜３４Ｅが閉止されることになる。
また、この蓋体４０は、ヒンジ部４４を介して外部キャップ体３０の突出部３６に連結されている。なお、本実施形態において、外部キャップ体３０、蓋体４０及びヒンジ部４４は一体に形成されており、ヒンジ部４４は弾性変形可能となっている。さらに、ヒンジ部４４を中心とした蓋体４０の揺動に伴って第２筒部３３Ｂをシール筒部４３に対して嵌入したり抜出したりする際には、シール筒部４３が弾性変形するようになっている。
【００２３】
このような構成とされたキャップ１０を容器本体１に取り付ける際には、容器本体１の口筒部２に内部キャップ体２０の被着筒部２１を被せて口筒部２の雄ネジ２Ａと被着筒部２１の雌ネジ２１Ａとを螺合して固定すればよい。
そして、容器本体１をスクイズ変形させて容器本体１の内部に収容された洗剤等の内容液を注出する際に、例えば図３に示すように、天面部３４を天板部２４に重ねて配置した場合には、周囲吐出孔３４Ｂ〜３４Ｅが天板部２４によって閉塞されるため、内容液が、口筒部２、内筒部２３、注出孔２４Ａ及び中央吐出孔３４Ａを通じて軸線Ｌ方向に水柱状に注出されることになる。
【００２４】
一方、内容液を注出する際に、例えば図４に示すように、天面部３４を天板部２４から離間して配置した場合には、中央吐出孔３４Ａ及び周囲吐出孔３４Ｂ〜３４Ｅが容器本体１の内部に連通するため、内容液が、口筒部２、内筒部２３、注出孔２４Ａ、空間Ｓ１、中央吐出孔３４Ａ及び周囲吐出孔３４Ｂ〜３４Ｅを通じてシャワー状に注出されることになる。
ここで、各周囲吐出孔３４Ｂ〜３４Ｅは漸次径方向外側に向けて傾斜するように形成されているため、内容液は全体として径方向外方に広がるように注出されることになる。なお、大径部２３Ａの外周面と第１筒部３３Ａの内周面との間や、小径部２３Ｂの外周面と第２筒部３３Ｂの内周面との間は液密とされているため、空間Ｓ１内の内容液が内筒部２３の外周面側に漏れ出すことはない。
【００２５】
前述のような構成とされた本実施形態であるキャップ１０によれば、内部キャップ体２０と外部キャップ体３０との軸線方向の相対位置を変更するだけで、外部キャップ体３０の天面部３４が内部キャップ体２０の天板部２４に重ねて配された状態と、天面部３４が天板部２４から離間して配された状態とに切り替えることができるため、内容液の注出状態を容易に切り替えることができる。したがって、外部キャップ体３０を軸線Ｌ方向に移動させる際に精度良く位置調整することなく、簡易な操作で注出状態の切り替えを行うことができる。
そして、外部キャップ体３０を内部キャップ体２０に対して軸線Ｌ方向に摺動させるだけで注出状態を切り替えることができるため、この切り替え作業を素早く行うことができる。
【００２６】
また、内部キャップ体２０の注出孔２４Ａ及び外部キャップ体３０の吐出孔３４Ａ〜３４Ｅを閉止する蓋体４０を有しているので、天面部３４を天板部２４に重ねて配置した状態、あるいは、天面部３４を天板部２４から離間して配置した状態のままで注出孔２４Ａ及び吐出孔３４Ａ〜３４Ｅを閉止しておくことが可能となり、注出を再開する際に外部キャップ体３０を操作することなく注出することができる。
また、この蓋体４０はヒンジ部４４を介して外部キャップ体３０に連結されているため、蓋体４０の操作や取扱いがより簡単になり、注出孔２４Ａ及び吐出孔３４Ａ〜３４Ｅの開閉作業を簡易に、かつ確実に行うことができる。
【００２７】
次に、本発明の第２の実施形態であるキャップ１０について説明する。なお、第１の実施形態と同一の構成要素には、同一の符号を付して詳細な説明を省略する。
第２の実施形態であるキャップ１０は、図５及び図６に示すように、内部キャップ体２０を構成するガイド筒部２５の内周面に雄ネジ２５Ｂが形成され、かつ、外部キャップ体３０を構成する嵌入筒部３５の外周面に前記雄ネジ２５Ｂに螺合する雌ネジ３５Ｂが形成されて、構成されている。
【００２８】
すなわち、このキャップ１０においては、内部キャップ体２０及び外部キャップ体３０が相互に螺合するように構成されており、外部キャップ体３０を回動させることで内部キャップ体２０と外部キャップ体３０との軸線Ｌ方向における相対位置が変化することになる。
このような構成とされた本実施形態であるキャップ１０においては、外部キャップ体３０が不意に軸線Ｌ方向に移動してしまうことを防いで、注出状態が不意に切り替えられることを容易に防止できる。
【００２９】
以上、本発明の実施形態であるキャップ１０について説明したが、本発明の技術的範囲はこれに限定されることはなく、本発明の技術的思想を逸脱しない範囲で適宜変更可能である。
例えば、容器本体１の内部に収容される内容物は洗剤等の内容液に限らず、少なくとも注出孔及び吐出孔を介して注出可能な内容物であればよく、ケチャップやマヨネーズ等の流動物であっても構わない。
また、内部キャップ体２０の被着筒部２１は、口筒部２に螺合することで固定されることに限らず、少なくとも口筒部２に被着されるように構成されていればよい。すなわち、被着筒部２１は、例えば口筒部２に打栓嵌合することで固定されるとしても構わない。
【００３０】
さらに、蓋体４０は外部キャップ体３０と一体に形成されるとしたが、これに限ることはなく、例えば別個の部材により形成されるとしても構わない。
また、周囲吐出孔３４Ｂ〜３４Ｅは、例えば径方向外側に傾斜せずに軸線Ｌ方向に延びて形成されるとしてもよい。また、周囲吐出孔３４Ｂ〜３４Ｅは少なくとも１つだけ形成されていればよい。さらに、複数の吐出孔３４Ａ〜３４Ｅの平面視形状は上記実施形態のものに限らず任意の形状に形成しても構わない。
【００３１】
さらに、第１筒部３３Ａ及び第２筒部３３Ｂの両方が、それぞれ大径部２３Ａ及び小径部２３Ｂに対して液密に形成されるとしたが、例えば、第１筒部３３Ａ及び第２筒部３３Ｂのいずれか一方が、大径部２３Ａ若しくは小径部２３Ｂに対して液密に形成されるとしてもよい。すなわち、外筒部３３のうち軸線Ｌ方向の少なくとも一部が内筒部２３に対して液密に形成されていればよい。このように構成した場合には、内筒部２３に対する外筒部３３の摺動抵抗が小さくすることができ、内部キャップ体２０に対する外部キャップ体３０の移動を容易に行うことができる。
また、外部キャップ体３０の外筒部３３は、環状天面部３２に垂設された第１筒部３３Ａを備えるとしたが、例えば第２筒部３３Ｂのみを備えるとしてもよい。
【００３２】
さらに、内部キャップ体２０の内筒部２３は、相互に径寸法の異なる大径部２３Ａ及び小径部２３Ｂによって構成されるとしたが、例えば同一の径寸法を有する筒状部によって構成されるとしても構わない。そして、この場合には外部キャップ体３０の外筒部３３も、前記筒状部の外径と略同一寸法の第１筒部３３Ａ及び第２筒部３３Ｂによって構成されればよい。
また、内部キャップ体２０は、例えば環状天板部２２及びガイド筒部２５を形成せずに、被着筒部２１の上端にこれと略同一の径寸法を有する内筒部２３を形成しても構わない。この場合には、例えば外部キャップ体３０を外筒部３３及び天面部３４のみから構成すればよい。
【００３３】
なお、第２の実施形態においては、ガイド筒部２５に雄ネジ２５Ｂを形成すると共に嵌入筒部３５に雌ネジ３５Ｂが形成されるとしたが、例えば内部キャップ体２０を構成する内筒部２３の外周面に雄ネジが形成されると共に外部キャップ体３０を構成する外筒部３３の内周面に前記雄ネジに螺合する雌ネジが形成されるとしても構わない。
【産業上の利用可能性】
【００３４】
キャップの位置調整を精度よく行うことなく注出状態の切り替えることが可能であり、取扱いが容易なキャップを提供することができる。
【図面の簡単な説明】
【００３５】
【図１】本発明の第１の実施形態であるキャップが容器本体の口筒部に被着された状態を示す片側断面図である。
【図２】図１のキャップにおいて天板部及び天面部を示す上面図である。
【図３】図１のキャップにおいて天面部を天板部に重ねて配した状態を示す側断面図である。
【図４】図１のキャップにおいて天面部を天板部から離間して配した状態を示す側断面図である。
【図５】本発明の第２の実施形態であるキャップにおいて天面部を天板部に重ねて配した状態を示す側断面図である。
【図６】図５のキャップにおいて天面部を天板部から離間して配した状態を示す側断面図である。
【符号の説明】
【００３６】
１  容器本体
２  口筒部
１０  キャップ
２０  内部キャップ体
２１  被着筒部
２３  内筒部
２４  天板部
２４Ａ  注出孔
３０  外部キャップ体
３３  外筒部
３４  天面部
３４Ａ  中央吐出孔（一の吐出孔）
３４Ｂ〜３４Ｅ  周囲吐出孔（他の吐出孔）
４０  蓋体
４４  ヒンジ部
Ｌ  軸線
【図１】
2008162596.tif 000003
【図２】
2008162596.tif 000004
【図３】
2008162596.tif 000005
【図４】
2008162596.tif 000006
【図５】
2008162596.tif 000007
【図６】
2008162596.tif 000008